(57)【特許請求の範囲】
【請求項１】
ディスプレイボックスベースとディスプレイボックスカバーとを含み、
前記ディスプレイボックスベースの頂部が開放しており、前記ディスプレイボックスベースに頂部が開放された取り付け溝部が設けられ、前記取り付け溝部は、焦電型赤外線センサ及びサーモパイル赤外線センサの少なくとも一つを取り付けるために用いられ、前記取り付け溝部には、複数の第１制限スナップ及び複数の第２制限スナップが設けられ、複数の前記第１制限スナップは、前記取り付け溝部の周方向に間隔を置いて設けられて、前記焦電型赤外線センサが上方へ移動することを規制し、複数の前記第２制限スナップは、前記取り付け溝部の周方向に間隔を置いて設けられて、前記サーモパイル赤外線センサが上方へ移動することを規制し、各前記第１制限スナップは、第１係止部を有し、各前記第２制限スナップは、第２係止部を有し、複数の前記第１係止部と複数の前記第２係止部とは、上下に間隔を置いて設けられ、前記取り付け溝部の側壁には、貫通した配線通過穴が形成され、
前記ディスプレイボックスカバーは、前記ディスプレイボックスベースの頂部に被せて設けられる、
ことを特徴とする空気調和機用ディスプレイボックスアセンブリ。
【請求項２】
前記取り付け溝部の内側壁に、内方に延びる少なくとも一つの第１の構造が設けられ、
前記取り付け溝部に、少なくとも一つの切り欠き部が形成される前記焦電型赤外線センサが取り付けられる場合に、前記第１の構造は、前記切り欠き部と結合する、
ことを特徴とする請求項１に記載の空気調和機用ディスプレイボックスアセンブリ。
【請求項３】
前記取り付け溝部の横断面形状は矩形であり、
前記第１の構造は二つであり、二つの前記第１の構造は、前記取り付け溝部の互いに対向する二つの角にそれぞれ位置し、前記取り付け溝部に、二つの前記切り欠き部が形成され、かつ矩形に形成される前記焦電型赤外線センサが取り付けられる場合に、二つの前記切り欠き部は、前記焦電型赤外線センサの互いに対向する二つの角にそれぞれ位置する、
ことを特徴とする請求項２に記載の空気調和機用ディスプレイボックスアセンブリ。
【請求項４】
各前記第１の構造は、前記取り付け溝部の対応する前記角の形状にマッチングする三角形に形成され、
前記空気調和機用ディスプレイボックスアセンブリは、二つの第２の構造をさらに含み、二つの前記第２の構造は、二つの前記第１の構造にそれぞれ隣接し、且つ二つの前記第２の構造は、前記取り付け溝部の互いに対向する二つの側壁にそれぞれ接続されて設けられ、各前記第２の構造の接続されている前記側壁から離れた表面は、前記側壁に平行であり、前記表面と前記側壁との間の距離はｔであり、前記ｔは、ｔ＝１ｍｍを満たす、
ことを特徴とする請求項３に記載の空気調和機用ディスプレイボックスアセンブリ。
【請求項５】
前記取り付け溝部の内側壁に、前記焦電型赤外線センサを支持するための支持突起が設けられ、前記支持突起の底部は、前記取り付け溝部の底壁に接続される、
ことを特徴とする請求項１〜４のいずれか一項に記載の空気調和機用ディスプレイボックスアセンブリ。
【請求項６】
前記第１制限スナップの数は、前記第２制限スナップの数と同じであり、
複数の前記第１制限スナップ及び複数の前記第２制限スナップは、前記取り付け溝部の周方向にずれて配置され、又は、
複数の前記第１係止部及び複数の前記第２係止部は、それぞれ１対１で対応し、且つ上下に正対する、
ことを特徴とする請求項１〜５のいずれか一項に記載の空気調和機用ディスプレイボックスアセンブリ。
【請求項７】
前記第１係止部の上面には、外方から内方に傾斜して下方に延びる第１ガイド面を有し、前記第２係止部の上面には、外方から内方に傾斜して下方に延びる第２ガイド面を有し、前記第１ガイド面及び前記第２ガイド面と、水平面とのなす角度は、それぞれ４５°である、
ことを特徴とする請求項１〜６のいずれか一項に記載の空気調和機用ディスプレイボックスアセンブリ。
【請求項８】
前記取り付け溝部に、前記焦電型赤外線センサが取り付けられる場合に、
各前記第１係止部と前記焦電型赤外線センサとの重なり合う長さはｄであり、前記ｄは、ｄ＝２.４ｍｍを満たす、
ことを特徴とする請求項１〜７のいずれか一項に記載の空気調和機用ディスプレイボックスアセンブリ。
【請求項９】
前記第２係止部は、前記第１係止部の上方に位置し、
各前記第１係止部及び各前記第２係止部は、いずれも内方に向けて水平に延びており、且つ前記第１係止部の内方に延びる長さは、前記第２係止部の内方に延びる長さより大きい、
ことを特徴とする請求項１〜８のいずれか一項に記載の空気調和機用ディスプレイボックスアセンブリ。
【請求項１０】
請求項１〜９のいずれか一項に記載の空気調和機用ディスプレイボックスアセンブリを含む、
ことを特徴とする空気調和機。
【発明の詳細な説明】
【関連書類の相互参照】
【０００１】
本願は、特許出願番号が２０１８２０１６０５３７.８で、出願日が２０１８年０１月２９日である中国特許出願に基づくものであり、上記の中国特許出願の優先権を主張し、上記の中国特許出願のすべての内容を参照として本明細書に援用する。
【技術分野】
【０００２】
本願は、空気調和機製造技術の分野に関し、特に、空気調和機用ディスプレイボックスアセンブリ及びそれを備える空気調和機に関する。
【背景技術】
【０００３】
赤外線検知モジュールは、空気調和機のインテリジェント制御のコンポーネントとしてよく使用される。一般的に１、焦電型、２、サーモパイルとの二つ形式に分けられる。関連技術では、赤外線検知モジュールに係る内容は、通常、その回路原理と、単一のモジュール（焦電型又はサーモパイル）の取り付け方式と、を含む。しかしながら、同一の構造に上記の二つの形式の赤外線検知モジュールを取り付ける場合の解決案はなく、しかも、既存の取り付け構造は、ポカヨケを実現することができなく、設計上に欠陥がある。また、取り付け効率が低く、取り付け構造がきつすぎるため、修理及び交換が不便である。
【発明の概要】
【発明が解決しようとする課題】
【０００４】
本願は、従来技術における少なくとも一つの技術的課題を解決することを目的とする。そのため、本願は、前記焦電型赤外線センサ及びサーモパイル赤外線センサを実際のニーズに応じてディスプレイボックスアセンブリに取り付け、ディスプレイボックスアセンブリのコストを削減することができる空気調和機用ディスプレイボックスアセンブリを提供する。
【課題を解決するための手段】
【０００５】
本願は、上記のディスプレイボックスアセンブリを備える空気調和機をさらに提供する。
【０００６】
本願の第１の側面の実施例に係る空気調和機用ディスプレイボックスアセンブリは、ディスプレイボックスベースとディスプレイボックスカバーとを含み、前記ディスプレイボックスベースの頂部が開放しており、前記ディスプレイボックスベースに頂部が開放された取り付け溝部が設けられ、前記取り付け溝部は、焦電型赤外線センサ及びサーモパイル赤外線センサの少なくとも一つを取り付けるために用いられ、前記取り付け溝部には、複数の第１制限スナップ及び複数の第２制限スナップが設けられ、複数の前記第１制限スナップは、前記取り付け溝部の周方向に間隔を置いて設けられて、前記焦電型赤外線センサが上方へ移動することを規制し、複数の前記第２制限スナップは、前記取り付け溝部の周方向に間隔を置いて設けられて、前記サーモパイル赤外線センサが上方へ移動することを規制し、各前記第１制限スナップは、第１係止口を有し、各前記第２制限スナップは、第２係止口を有し、複数の前記第１係止口と複数の前記第２係止口とは、上下に間隔を置いて設けられ、前記取り付け溝部の側壁には、貫通した配線通過穴が形成され、前記ディスプレイボックスカバーは、前記ディスプレイボックスベースの頂部に被せて設けられる。
【０００７】
本願の実施例に係る空気調和機用ディスプレイボックスアセンブリによれば、取り付け溝部と、上下に間隔を置いて設けられる第１係止口及び第２係止口を有する第１制限スナップ及び第２制限スナップとを設置することによって、焦電型赤外線センサ及びサーモパイル赤外線センサを実際のニーズに応じて取り付け溝部内に取り付け、ディスプレイボックスアセンブリの製造コストを削減することができる。また、第１制限スナップ及び第２制限スナップの形態を採用するによって、焦電型赤外線センサとサーモパイル赤外線センサとの取り付けが容易になり、取り付け効率が向上する。
【０００８】
本願の一部の実施例では、前記取り付け溝部の内側壁に、内方に延びる少なくとも一つの第１ポカヨケ構造が設けられ、前記焦電型赤外線センサに、前記第１ポカヨケ構造と結合する少なくとも一つの切り欠きが形成される。
【０００９】
本願の一部の実施例では、前記取り付け溝部の横断面形状は矩形であり、前記焦電型赤外線センサは矩形に形成され、前記第１ポカヨケ構造は二つであり、二つの前記第１ポカヨケ構造は、前記取り付け溝部の互いに対向する二つの角にそれぞれ位置し、前記切り欠きは二つであり、二つの前記切り欠きは、前記焦電型赤外線センサの互いに対向する二つの角にそれぞれ位置する。
【００１０】
本願の一部の実施例では、各前記第１ポカヨケ構造は、前記取り付け溝部の対応する前記角の形状にマッチングする三角形に形成され、前記ディスプレイボックスアセンブリは、二つの第２ポカヨケ構造をさらに含み、二つの前記第２ポカヨケ構造は、二つの前記第１ポカヨケ構造にそれぞれ隣接し、且つ二つの前記第２ポカヨケ構造は、前記取り付け溝部の互いに対向する二つの側壁にそれぞれ設けられるとともに対応する前記側壁に接続され、各前記第２ポカヨケ構造の対応する前記側壁から離れた表面は、前記側壁に平行であり、且つ前記側壁との間の距離はｔであり、前記ｔは、ｔ＝１ｍｍを満たす。
【００１１】
本願の一部の実施例では、前記取り付け溝部の内側壁に、前記焦電型赤外線センサを支持するための支持突起が設けられ、前記支持突起の底部は、前記取り付け溝部の底壁に接続される。
【００１２】
本願の一部の実施例では、前記第１制限スナップの数は、前記第２制限スナップの数と同じであり、複数の前記第１制限スナップ及び複数の前記第２制限スナップは、前記取り付け溝部の周方向にずれて配置され、又は、複数の前記第１係止口及び複数の前記第２係止口は、それぞれ１対１で対応し、且つ上下に正対する。
【００１３】
本願の一部の実施例では、前記第１係止口の上面には、外方から内方に傾斜して下方に延びる第１ガイド面を有し、前記第２係止口の上面には、外方から内方に傾斜して下方に延びる第２ガイド面を有し、前記第１ガイド面及び前記第２ガイド面と、水平面とのなす角度は、それぞれ４５°である。
【００１４】
本願の一部の実施例では、各前記第１係止口と前記焦電型赤外線センサとの重なり合う長さはｄであり、ここで、前記ｄは、ｄ＝２.４ｍｍを満たす。
【００１５】
本願の一部の実施例では、前記第２係止口は、前記第１係止口の上方に位置し、各前記第１係止口及び各前記第２係止口は、いずれも内方に向けて水平に延びており、且つ前記第１係止口の内方に延びる長さは、前記第２係止口の内方に延びる長さより大きい。
【００１６】
本願の第２の側面の実施例に係る空気調和機は、本願の上記の第１の側面の実施例に係る空気調和機用ディスプレイボックスアセンブリを含む。
【００１７】
本発明の付加的な特徴及び利点は、一部が以下の説明において示され、一部が以下の説明により明らかになり、又は本発明の実践により理解される。
【図面の簡単な説明】
【００１８】
本発明の上記及び/又は付加的な側面及び利点は、以下、図面を参照した実施形態についての説明において、明らかになり、理解しやすくなる。
【図１】本願の実施例に係る空気調和機用ディスプレイボックスアセンブリの正面図である。
【図２】図１のＡ−Ａ線に沿った断面図である。
【図３】図１に示されるディスプレイボックスアセンブリの分解図である。
【図４】本願の実施例に係る空気調和機用ディスプレイボックスアセンブリの斜視図であり、ここで、ディスプレイボックスカバーが図示されず、サーモパイル赤外線センサは、ディスプレイボックスベースに取り付けられている。
【図５】図４における円で囲まれたＢ部の拡大図である。
【図６】図４に示されるディスプレイボックスアセンブリの正面図である。
【図７】図６のＣ−Ｃ線に沿った断面図である。
【図８】本願の実施例に係る空気調和機用ディスプレイボックスアセンブリの斜視図であり、ここで、ディスプレイボックスカバーが図示されず、焦電型赤外線センサは、ディスプレイボックスベースに取り付けられている。
【図９ａ】図８における円で囲まれたＤ部の拡大図である。
【図９ｂ】図８に示される取り付け溝部の拡大図であり、ここで、焦電型赤外線センサが図示されていない。
【図１０】図８のＥ−Ｅ線に沿った断面図である。
【図１１】本願の実施例に係る焦電型赤外線センサの概略図である。
【図１２】本願の実施例に係る空気調和機の分解図である。
【図１３】本願の実施例に係る空気調和機の斜視図である。
【図１４】本願の実施例に係る空気調和機の正面図である。
【発明を実施するための形態】
【００１９】
以下、本出願の実施例を詳細に説明する。前記実施例における例が図面に示され、同一又は類似する符号は、常に同一又は類似する要素、或いは、同一又は類似する機能を有する要素を示す。以下に、図面を参照しながら説明される実施例は例示するものであり、本出願を解釈するためだけに用いられ、本出願を限定するものと理解してはならない。
【００２０】
本発明の説明において、「中心」、「縦方向」、「横方向」、「長さ」、「幅」、「厚み」、「上」、「下」、「前」、「後」、「左」、「右」、「鉛直」、「水平」、「頂」、「底」、「内」、「外」、「時計回り」、「逆時計回り」、「軸方向」、「半径方向」、「周方向」などの用語が示す方位又は位置関係は、図面に示す方位又は位置関係に基づき、本発明を便利にまたは簡単に説明するために使用されるものであり、指定された装置又は要素が特定の方位にあり、特定の方位において構造され操作されることを指示又は暗示するものではないので、本発明を限定するものであると理解してならない。
また、「第１」、「第２」との用語は単に説明するためのものであり、相対的な重要性を指示又は暗示したり或いは指定された技術的特徴の数量を暗黙的に指定するものであると理解してならない。よって、「第１」、「第２」で限定されている特徴は、少なくとも一つの当該特徴を含んでいることを、明示又は暗黙的に指定している。本発明の説明において、他の説明がない限り、「複数」とは、少なくとも二つ以上を意味する。
【００２１】
本願の説明において、明確な規定及び限定がない限り、「取り付け」、「互いに接続」、「接続」、「固定」との用語の意味は広く理解されるべきである。例えば、固定接続や、着脱可能な接続や、あるいは一体的な接続でも可能である。机械的な接続や、電気的な接続も可能である。直接的に接続することや、中間媒体を介して間接的に接続することや、二つの要素の内部が連通することや、あるいは二つの要素の間に相互作用関係があることも可能である。当業者であれば、具体的な状況によって上記用語の本発明においての具体的な意味を理解することができる。
【００２２】
以下、図１〜図１４を参照して本願の実施例に係る空気調和機２００用ディスプレイボックスアセンブリ１００を説明する。ディスプレイボックスアセンブリ１００は、壁掛け空気調和機などの空気調和機２００に適用することができる。本願以下の説明では、ディスプレイボックスアセンブリ１００を壁掛け空気調和機に適用することを例として説明する。もちろん、当業者であれば、ディスプレイボックスアセンブリ１００が、床置き空気調和機などの空気調和機２００にも適用可能であると理解することができる。
【００２３】
図１〜図１２に示すように、本願の第１の側面の実施例に係る壁掛け空気調和機などの空気調和機２００用ディスプレイボックスアセンブリ１００は、ディスプレイボックスベース１と、ディスプレイボックスカバー２とを含む。
【００２４】
具体的には、ディスプレイボックスベース１の頂部は開放しており、ディスプレイボックスベース１には、頂部が開放された取り付け溝部１１が設けられ、取り付け溝部１１は、焦電型赤外線センサ３１及びサーモパイル赤外線センサ３２の少なくとも一つを取り付けるために用いられる。取り付け溝部１１に複数の第１制限スナップ１２及び複数の第２制限スナップ１３が設けられ、複数の第１制限スナップ１２は、取り付け溝部１１の周方向に間隔を置いて設けられて、焦電型赤外線センサ３１が上方へ移動するのを規制する。複数の第２制限スナップ１３は、取り付け溝部１１の周方向に間隔を置いて設けられて、サーモパイル赤外線センサ３２が上方へ移動することを規制する。各第１制限スナップ１２は、第１係止口１２１を有し、各第２制限スナップ１３は、第２係止口１３１を有し、複数の第１係止口１２１と複数の第２係止口１３１とは、上下に間隔を置いて設けられる。第１制限スナップ１２は、第１係止口１２１によって焦電型赤外線センサ３１を制限し、第２制限スナップ１３は、第２係止口１３１によってサーモパイル赤外線センサ３２を制限する。
【００２５】
なお、取り付け溝部１１は、焦電型赤外線センサ３１の取り付けるにのみ使用することができ、この場合、焦電型赤外線センサ３１は、複数の第１制限スナップ１２と結合して焦電型赤外線センサ３１が取り付け溝部１１の頂部から離脱することを防止することにより、焦電型赤外線センサ３１の取り付け溝部１１内への確実な取り付けが実現される。もちろん、取り付け溝部１１は、サーモパイル赤外線センサ３２の取り付けにのみ使用することもでき、この場合、サーモパイル赤外線センサ３２は、複数の第２制限スナップ１３と結合してサーモパイル赤外線センサ３２が取り付け溝部１１の頂部から離脱することを防止することにより、サーモパイル赤外線センサ３２の取り付け溝部１１内への確実な取り付けが実現される。又は、焦電型赤外線センサ３１及びサーモパイル赤外線センサ３２は、取り付け溝部１１内に一斉に取り付けることができ、この場合、焦電型赤外線センサ３１及びサーモパイル赤外線センサ３２は、複数の第１制限スナップ１２及び複数の第２制限スナップ１３とそれぞれ結合する。具体的には、焦電型赤外線センサ３１を採用するか、それともサーモパイル赤外線センサ３２を採用するかは、実際のニーズに応じて具体的に選択することができることを理解されたい。
【００２６】
第１係止口１２１と第２係止口１３１とは、上下に間隔を置いているため、第１係止口１２１と第２係止口１３１とは、上下の位置関係で配置される。これにより、焦電型赤外線センサ３１が取り付け溝部１１内に取り付けられる位置と、サーモパイル赤外線センサ３２が取り付け溝部１１内に取り付けられる位置とは、ほぼ上下の位置関係にある。
【００２７】
これにより、焦電型赤外線センサ３１及びサーモパイル赤外線センサ３２の少なくとも一つを取り付けるための取り付け溝部１１を設置することにより、取り付け溝部１１の構造が焦電型赤外線センサ３１の取り付けに使用することができ、サーモパイル赤外線センサ３２の取り付けるにも使用することができるため、設計コストが削減され、１セットの類似金型の費用の削減が図られる。ここで、取り付け溝部１１を頂部が開放された形態とするのは、焦電型赤外線センサ３１及びサーモパイル赤外線センサ３２の取り付けを容易にし、取り付け効率を向上させる目的である。
【００２８】
取り付け溝部１１の側壁には、貫通した配線通過穴１４が形成されている。これにより、焦電型赤外線センサ３１及び／又はサーモパイル赤外線センサ３２が取り付け溝部１１内に取り付けられた後、焦電型赤外線センサ３１及び／又はサーモパイル赤外線センサ３２のハーネスを、配線通過穴１４を貫通して取り付け溝部１１の外部に引き出して、対応する部材（例えば、後述する制御チップ４）に接続することができる。ディスプレイボックスカバー２は、ディスプレイボックスベース１の頂部に被せて設けられる。例えば、図１〜図３の例では、ディスプレイボックスベース１とディスプレイボックスカバー２とによって取り付けスペースが画定され、当該取り付けスペース内には、焦電型赤外線センサ３１及び／又はサーモパイル赤外線センサ３２のほかに、制御チップ４などの部材も取り付けることができる。
【００２９】
これにより、本願の実施例に係る壁掛け空気調和機などの空気調和機２００用ディスプレイボックスアセンブリ１００は、取り付け溝部１１と、上下に間隔を置いて設けられる第１係止口１２１及び第２係止口１３１を有する第１制限スナップ１２および第２制限スナップ１３とを設置することによって、焦電型赤外線センサ３１及びサーモパイル赤外線センサ３２を実際のニーズに応じて取り付け溝部１１内に取り付け、ディスプレイボックスアセンブリ１００の製造コストを削減することができる。また、第１制限スナップ１２及び第２制限スナップ１３の形態を採用することによって、焦電型赤外線センサ３１およびサーモパイル赤外線センサ３２の取り付けが容易になり、取り付け効率が向上する。
【００３０】
本願の一部の実施例では、図８〜図１１に示すように、取り付け溝部１１の内側壁には、内方に延びる少なくとも一つの第１ポカヨケ構造１５が設けられ、焦電型赤外線センサ３１に、第１ポカヨケ構造１５と結合する少なくとも一つの切り欠き３１１が形成される。これにより、第１ポカヨケ構造１５と切り欠き３１１との結合によって、焦電型赤外線センサ３１の取り付けミスによる焦電型赤外線センサ３１のインタフェースの閉塞を良好に防止することができ、取り付け効率が向上する。
【００３１】
さらに、図８、図９ａ〜図９ｂおよび図１１を参照すると、取り付け溝部１１の横断面形状は矩形であり、焦電型赤外線センサ３１は矩形に形成されており、第１ポカヨケ構造１５は二つであり、二つの第１ポカヨケ構造１５は、取り付け溝部１１の互いに対向する二つの角にそれぞれ位置し、切り欠き３１１は二つであり、二つの切り欠き３１１は、焦電型赤外線センサ３１の互いに対向する二つの角にそれぞれ位置する。なお、この場合に、焦電型赤外線センサ３１は中心対称構造であるが、焦電型赤外線センサ３１が反対に取り付けられると、そのハーネスの作用で取り付け溝部１１内に取り付けことができない。すなわち、焦電型赤外線センサ３１の二つの切り欠き３１１と二つの第１ポカヨケ構造１５との結合、及び焦電型赤外線センサ３１のハーネスの影響によって、焦電型赤外線センサ３１が取り付けの方向が正しい場合のみ、取り付け溝部１１内に取り付けることができる。
【００３２】
本願の一部の選択可能な実施例では、図９ａ〜図９ｂに示すように、各第１ポカヨケ構造１５は、取り付け溝部１１の対応する角の形状にマッチングする三角形に形成され、ディスプレイボックスアセンブリ１００は、二つの第２ポカヨケ構造１６をさらに含み、二つの第２ポカヨケ構造１６は、二つの第１ポカヨケ構造１５にそれぞれ隣接し、且つ二つの第２ポカヨケ構造１６は、取り付け溝部１１の互いに対向する二つの側壁にそれぞれ設けられるとともに対応する側壁に接続され、各第２ポカヨケ構造１６の対応する側壁から離れた表面は、側壁に平行であり、且つ側壁との間の距離はｔであり、ｔは、ｔ＝１ｍｍを満たす。これにより、上記の二つの第２ポカヨケ構造１６を設置することによって、焦電型赤外線センサ３１は、取り付け溝部１１内に取り付けられて、非中心対称構造となり、両側にそれぞれ１ｍｍ移動して、取り付け中のポカヨケを図る。
【００３３】
例えば、図９ａ〜図９ｂの例では、二つの第２ポカヨケ構造１６は、取り付け溝部１１の二つの長辺にそれぞれ設けられ、各第２ポカヨケ構造１６は、略平行四辺形構造であり、距離ｔは、当該平行四辺形構造の取り付け溝部１１の幅方向における長さである。
【００３４】
図５及び図１０を参照すると、取り付け溝部１１の内側壁には、焦電型赤外線センサ３１を支持するための支持突起１７が設けられ、支持突起１７の底部は、取り付け溝部１１の底壁に接続されてもよい。これにより、支持突起１７を設置することによって、この場合に焦電型赤外線センサ３１と取り付け溝部１１の底壁とは、互いに離間され、焦電型赤外線センサ３１と取り付け溝部１１の頂部との距離が近くなり、焦電型赤外線センサ３１の取り付けがさらに容易になる。
【００３５】
本願の一部の選択可能な実施例によれば、図３〜図６及び図９ａ〜図９ｂに示すように、第１制限スナップ１２の数は、第２制限スナップ１３の数と同じであり、複数の第１制限スナップ１２及び複数の第２制限スナップ１３は、取り付け溝部１１の周方向にずれて配置される。この場合、複数の第１制限スナップ１２の第１係止口１２１及び複数の第２制限スナップ１３の第２係止口１３１は、取り付け溝部１１の周方向に互いにずれている。例えば、図３〜図６及び図９ａ〜図９ｂの例では、対応する第１制限スナップ１２と第２制限スナップ１３とは、互いに隣接している。これにより、第１制限スナップ１２と第２制限スナップ１３とは、上記の配置形態を採用するによって、第１係止口１２１と第２係止口１３１との間の距離を相対的に小さくすることができ、取り付け溝部１１の高さを小さくすることができ、ディスプレイボックスアセンブリ１００全体の占有スペースをさらに小さくすることができる。
【００３６】
ここで、複数の第１制限スナップ１２及び複数の第２制限スナップ１３は、離間された形態であってもよい。例えば、図４及び図５を参照すると、複数の第１制限スナップ１２及び複数の第２制限スナップ１３は、取り付け溝部１１の周方向に互いに間隔を置いており、互いに接続されていない。これにより、第１制限スナップ１２及び第２制限スナップ１３が、それぞれ良好な弾性を有し、すなわち一定の変形能力を有し、焦電型赤外線センサ３１及びサーモパイル赤外線センサ３２の迅速な取り付けを実現することができる。
【００３７】
図３〜図６及び図９において、例を説明するために三つの第１制限スナップ１２及び三つの第２制限スナップ１３を例示したが、当業者は、以下の技術的解決策を読んだ後、当該解決策を二つ、４つ以上の第１制限スナップ１２及び第２制限スナップ１３の技術的解決策に適用することを理解することができ、これも本願の保護範囲に入る。
【００３８】
もちろん、本願はこれに限定されなく、本願の一部の選択可能な実施例によれば、第１制限スナップ１２の数は、第２制限スナップ１３の数と同じであり、複数の第１係止口１２１と複数の第２係止口１３１とは、それぞれ１対１で対応し、且つ上下に正対する（図示せず）。この場合、対応する第１係止口１２１と第２係止口１３１との取り付け溝部１１の底壁における投影が重なり合っている。これにより、同様に、焦電型赤外線センサ３１とサーモパイル赤外線センサ３２との取り付けを良好に実現することができる。ここで、複数の第１制限スナップ１２と対応する複数の第２制限スナップ１３とは、それぞれ一体された形態であってもよい。
【００３９】
本願の一部の実施例によれば、第２係止口１３１は、第１係止口１２１の上方に位置し、各第１係止口１２１及び各第２係止口１３１は、いずれも内方に向けて水平に延びており、且つ第１係止口１２１の内方に延びる長さは、第２係止口１３１の内方に延びる長さより大きい。なお、方向の「内方」が取り付け溝部１１の中心に向かう方向として理解されたく、その反対の方向は、「外方」として定義される。この場合、サーモパイル赤外線センサ３２は、取り付け溝部１１内の上層に取り付けられ、焦電型赤外線センサ３１は、取り付け溝部１１内の下層に取り付けられる。これは、外形サイズが相対的に大きいサーモパイル赤外線センサ３２の取り付けを容易にするためである。さらに、図４及び図５に示すように、サーモパイル赤外線センサ３２は、取り付け溝部１１の全体を完全にカバーすることができる。上方に位置する第２係止口１３１の延びる長さを、その下方の第１係止口１２１の延びる長さより小さくすることにより、焦電型赤外線センサ３１を取り付ける時に一定の回避作用を果たすことができ、焦電型赤外線センサ３１の取り付け効率がさらに向上する。
【００４０】
サーモパイル赤外線センサ３２と焦電型赤外線センサ３１との取り付け位置は、上下に交換可能であることを理解されたい。例えば、サーモパイル赤外線センサ３２は、取り付け溝部１１内の下層に取り付けられ、焦電型赤外線センサ３１は、取り付け溝部１１内の上層に取り付けられ、これに応じて、第１制限スナップ１２、第２制限スナップ１３、第１ポカヨケ構造１５及び第２ポカヨケ構造１６などを同時に調整する必要がある。
【００４１】
選択可能に、図１０に示すように、第１係止口１２１の上面には、外方から内方に向けて傾斜して下方に延びる第１ガイド面１２１１を有し、第２係止口１３１の上面には、外方から内方に向けて傾斜して下方に延びる第２ガイド面１３１１を有し、第１ガイド面１２１１及び第２ガイド面１３１１と、水平面とのなす角度は、それぞれ４５°である。第１ガイド面１２１１及び第２ガイド面１３１１は、それぞれ第１係止口１２１及び第２係止口１３１を４５°面取りすることによって加工成形することができる。これにより、第１ガイド面１２１１及び第２ガイド面１３１１の設置は、焦電型赤外線センサ３１又はサーモパイル赤外線センサ３２の迅速な取り付けを容易にし、修理及び交換を容易にする。
【００４２】
図８及び図１０に示すように、各第１係止口１２１と焦電型赤外線センサ３１との重なり合う長さはｄであり、ここで、ｄは、ｄ＝２.４ｍｍを満たす。これにより、良好な制限が確保されるとともに、着脱が容易になる。
【００４３】
選択可能に、図５及び図６を示すように、配線通過穴１４は、取り付け溝部１１の頂部を貫通する開口を有し、且つ上から下への方向に、配線通過穴１４の幅が徐々に小さくなる。これにより、上記の形態の配線通過穴１４を採用することによって、焦電型赤外線センサ３１又はサーモパイル赤外線センサ３２を取り付けると同時に、ハーネスを上から下へ開口を介して配線通過穴１４内に入れることができ、さらに、上が広く下が狭い開口の形態を採用することによって、ハーネスは、配線通過穴１４内に非常に容易に取り付けることができ、取り付け効率が向上し、且つ相対的に狭い配線通過穴１４の底部が、ハーネスに対して一定の係止効果を持つことができる。
【００４４】
サーモパイル赤外線センサ３２は、焦電型赤外線センサ３１の機能をカバーすることができる。なお、焦電型赤外線センサ３１及びサーモパイル赤外線センサ３２の動作原理及び壁掛け空気調和機などの空気調和機２００における具体的な適用などは、当業者には周知であり、ここでは説明を省略する。
【００４５】
ここで、焦電型赤外線センサ３１及びサーモパイル赤外線センサ３２を取り付ける場合、焦電型赤外線センサ３１と、サーモパイル赤外線センサ３２との外形サイズ（サーモパイル赤外線センサ３２の外形サイズは、焦電型赤外線センサ３１の外形サイズより大きい）及び形態（焦電型赤外線センサ３１は、切り欠き３１１を有し、サーモパイル赤外線センサ３２は、切り欠き３１１を有さない）に基づいて、焦電型赤外線センサ３１であるか、それともサーモパイル赤外線センサ３２であるかを判断することできる。それから、取り付け位置に基づいて取付けが間違っているか否かを観察することによって、ポカヨケの效果が奏される。
【００４６】
これにより、本願の実施例に係る壁掛け空気調和機などの空気調和機２００用ディスプレイボックスアセンブリ１００によれば、同じディスプレイボックスベース１に二つの異なる構造の赤外線センサ３（すなわち、上記の焦電型赤外線センサ３１及びサーモパイル赤外線センサ３２）が一斉に収容される。すなわち、焦電型赤外線センサ３１とサーモパイル赤外線センサ３２とを取り付けるための取り付け構造が統合されて、異なるタイプの壁掛け空気調和機などの空気調和機２００の用途とマッチングするようになり、設計コストの削減につながる。
【００４７】
さらに、最適化された第１制限スナップ１２及び第２制限スナップ１３は、同じタイプのスナップと比較して、取り付けが容易になり、取り付け時間が２秒削減されるとともに、修理及び交換が容易になる。また、第１ポカヨケ構造１５及び第２ポカヨケ構造１６を追加することによって、ポカヨケの效果が向上し、取り付けエラが避けられ、生産ラインＵＰＰＨ（Ｕｎｉｔｓ  Ｐｅｒ  Ｈｏｕｒ  Ｐｅｒ  Ｐｅｒｓｏｎ，１時間あたり１人あたりの単位は、会社が従業員の仕事の業績を評価する重要な指標である）が低下する。
【００４８】
図１２〜図１４に示すように、本願の第２の側面の実施例に係る壁掛け空気調和機などの空気調和機２００は、本願の上記の第１の側面の実施例に係る空気調和機２００用ディスプレイボックスアセンブリ１００を含む。
【００４９】
本願の実施例に係る壁掛け空気調和機などの空気調和機２００は、上記のディスプレイボックスアセンブリ１００を採用することによって、コストを効果的に削減することができる。
【００５０】
本願の実施例に係るディスプレイボックスアセンブリ１００及び壁掛け空気調和機などの空気調和機２００の他の構成及び操作は、当業者には周知であり、ここでは詳細に説明しない。
【００５１】
本明細書の説明において、「一つの実施例」、「一部の実施例」、「例示的な実施例」、「例」、「具体的な例」、或いは「一部の例」などの参照した説明とは、当該実施例或いは例に結合して説明された具体的な特徴、構成、材料或いは特徴が、本発明の少なくとも一つの実施例或いは例に含まれることである。本明細書において、上記用語に対する例示的な表現は、必ずしも同じ実施例或いは例を示すものではない。また、説明された具体的な特徴、構成、材料或いは特徴は、いずれか一つ或いは複数の実施例又は例において適切に結合することができる。なお、お互いに矛盾しない場合、当業者は，本明細書で説明された異なる実施例或いは例、及び異なる実施例或いは例の特徴を結合及び組み合わせることができる。
【００５２】
本発明の実施例を示して説明したが、当業者は、本発明の原理及び主旨から逸脱しなく、これらの実施例に対して各種の変更、修正、置き換え及び変形を行うことができる。本発明の範囲は、特許請求の範囲及びその等価物により限定される。
【符号の説明】
【００５３】
１００      ディスプレイボックスアセンブリ
１          ディスプレイボックスベース
１１        取り付け溝部
１２        第１制限スナップ
１２１      第１係止口
１２１１    第１ガイド面
１３        第２制限スナップ
１３１      第２係止口
１３１１    第２ガイド面
１４        配線通過穴
１５        第１ポカヨケ構造
１６        第２ポカヨケ構造
１７        支持突起
２          ディスプレイボックスカバー
３          赤外線センサ
３１        焦電型赤外線センサ
３１１      切り欠き
３２        サーモパイル赤外線センサ
４          制御チップ
２００      空気調和機。
【図１】
0006946452.tif 000002
【図２】
0006946452.tif 000003
【図３】
0006946452.tif 000004
【図４】
0006946452.tif 000005
【図５】
0006946452.tif 000006
【図６】
0006946452.tif 000007
【図７】
0006946452.tif 000008
【図８】
0006946452.tif 000009
【図９ａ】
0006946452.tif 000010
【図９ｂ】
0006946452.tif 000011
【図１０】
0006946452.tif 000012
【図１１】
0006946452.tif 000013
【図１２】
0006946452.tif 000014
【図１３】
0006946452.tif 000015
【図１４】
0006946452.tif 000016